(57)【要約】【課題】簡単かつすばやくファスナーを封緘することのできる封緘用ファスナーおよびそれを用いた包装体を提供する。【解決手段】一対のファスナーエレメント列５の一方の固定端６側に、第一スライダー３を先頭として第一スライダー３および第二スライダー１２を直列に配置するとともに、上記第一スライダー３を、ファスナー閉じ方向にのみ移動可能かまたはファスナーエレメント列５を閉じて他方の固定端１７側に移動したときにファスナー開き方向の移動を阻止できるように構成し、第二スライダー１２をファスナー開閉用として構成するとともに仮止めプレート１５によって一方の固定端６側に仮止めしてなることを特徴とする。【選択図】　　　　図３
2004113331.tif 000002
【特許請求の範囲】
【請求項１】
一対のファスナーエレメント列の一方の固定端側に、第一スライダーを先頭として第一スライダーおよび第二スライダーを直列に配置するとともに、上記第一スライダーを、ファスナー閉じ方向にのみ移動可能かまたは上記ファスナーエレメント列を閉じて他方の固定端側に移動したときにファスナー開き方向の移動を阻止できるように構成し、上記第二スライダーをファスナー開閉用として構成するとともに仮止め手段によって上記一方の固定端側に仮止めしてなることを特徴とする封緘用ファスナー。
【請求項２】
上記第一スライダーに、上記ファスナーエレメント列と係合するとともに、ファスナー閉じ方向に移動する際には変位してその係合が解除される弾性爪部が備えられている請求項１記載の封緘用ファスナー。
【請求項３】
上記第一スライダーの引手を、その第一スライダーから脱落させるための引手脱落部が上記第一スライダーに設けられている請求項２記載の封緘用ファスナー。
【請求項４】
上記引手が、上記弾性爪部の係合を強制的に解除し得るように構成されている請求項２または３記載の封緘用ファスナー。
【請求項５】
上記他方の固定端側に止め具を有し、上記第一スライダーを他方の固定端に移動させたときにその止め具に係止される逆止片が第一スライダーに設けられている請求項１記載の封緘用ファスナー。
【請求項６】
上記他方の固定端側に止め具を有し、上記第一スライダーを他方の固定端に移動させたときに第一スライダーを繋止する繋止部が上記止め具に設けられている請求項１記載の封緘用ファスナー。
【請求項７】
上記繋止部が先端に鉤状部を有する弾性片からなり、上記第一スライダーを上記他方の固定端まで移動させたときに、弾性変形してその第一スライダーを鉤状部内に案内するように構成されている請求項６記載の封緘用ファスナー。
【請求項８】
上記仮止め手段が、上記第一スライダーと第二スライダーの間の上記ファスナーエレメント列に配置されて上記第二スライダーの移動路を閉塞するとともに、切断することによって閉塞を解除することができる薄板部材から構成される請求項１〜７のいずれか１項に記載の封緘用ファスナー。
【請求項９】
請求項１〜８のいずれか１項に記載の封緘用ファスナーを、収納体の開口部に取り付けてなることを特徴とする包装体。
【発明の詳細な説明】
【０００１】
【発明の属する技術分野】
本発明は、ファスナーを閉じた状態でロックすることのできる封緘用ファスナーおよびそれを用いた包装袋等の包装体に関するものである。
【０００２】
【従来の技術】
従来、ファスナー付き包装袋を封緘するための封緘具が知られている。この封緘具は、図１０（ａ）に示されるように、ファスナーテープ５０の上止め部分５１に留め具５２が設けられており、スライダー５３の引手５４を、同図（ｂ）に示すように留め具５２に嵌め入れるようになっている。
【０００３】
留め具５２には孔部５５が設けられており、同図（ｃ）に示すようにその孔部５５に対して環状部材からなる挿通具５６を通し、その凸部５７を凹部５８に係止させれば、引手５４が留め具５２から抜けずロックされるようになっている（例えば特許文献１参照）。なお、図中５９，６０はスライダー５３の移動によって閉じられる務歯である。また、封緘する必要がなくなった場合には挿通具５６を切断し、引手５４を留め具５２から外すことによって封緘を解除することができる。
【０００４】
このような封緘具は、例えば商品を収納し口部をロックする必要のある包装袋に取り付けられる。
【０００５】
詳しくは、商品を収納するのに収納袋が利用されているが、会計後の商品を入れた収納袋の口が開いていると、会計後に再び買い物を続ける客がその収納袋に未会計の商品を入れたとしても分からないという不都合がある。
【０００６】
そこで、会計を済ませ、収納袋に商品を収納した後は、店員がその収納袋の口をファスナーで閉じてロックし、その場で簡単に開けることができないようにしている。
【０００７】
【特許文献１】
特開２００１−０７２０８８号公報（第（３）頁、図１（ｃ））
【０００８】
【発明が解決しようとする課題】
しかしながら、従来の封緘具では、引手５４を留め具５２に嵌め入れ、留め具５２の孔部５５に挿通具５６を通し、さらに、その挿通具５６の凸部５７を凹部５８に差し込んで係止させるという繁雑な作業が必要であり、そのためレジが混雑する原因となっていた。
【０００９】
特にバーゲンセールなどのように大勢の買物客で混雑する売場では、時間に追われて封緘具のロック作業を行わなければならず、店員に多大な負担を強いられていた。
【００１０】
本発明は以上のような従来のファスナーの封緘具における課題を考慮してなされたものであり、簡単操作でファスナーを封緘することのできる封緘用ファスナーおよびそれを用いた包装体を提供するものである。
【００１１】
【課題を解決するための手段】
本発明は、一対のファスナーエレメント列の一方の固定端側に、第一スライダーを先頭として第一スライダーおよび第二スライダーを直列に配置するとともに、第一スライダーを、ファスナー閉じ方向にのみ移動可能かまたはファスナーエレメント列を閉じて他方の固定端側に移動したときにファスナー開き方向の移動を阻止できるように構成し、第二スライダーをファスナー開閉用として構成するとともに仮止め手段によって一方の固定端側に仮止めしてなる封緘用ファスナーである。
【００１２】
本発明に従えば、第一スライダーを移動させて一旦、ファスナーを閉じると、その反対側へは第一スライダーの移動が阻止されるため、ファスナーが封緘される。また、封緘の必要がなくなると、仮止め手段による仮止めを解除すれば第二スライダーが移動自由になりファスナーを開閉することができるようになる。
【００１３】
本発明において、上記第一スライダーに、ファスナーエレメント列と係合するとともにファスナー閉じ方向に移動する際には変位してその係合が解除される弾性爪部を備えれば、第一スライダーを閉じ方向にのみ移動させてファスナーを封緘することができる。
【００１４】
本発明において、第一スライダーの引手をその第一スライダーから脱落させるための引手脱落部を第一スライダーに設ければ、移動が阻止された第一スライダーの引手が取り外されることにより誤操作を防止することができる。
【００１５】
本発明において、引手を、弾性爪部の係合を強制的に解除し得るように構成すれば、引手を外さない限り第一スライダーでファスナーを開閉することができる。換言すれば、引手を取り外さない限り、商品の詰め直しが可能になる。
【００１６】
本発明において、上記他方の固定端側に止め具を有し、第一スライダーを他方の固定端に移動させたときにその止め具に係止される逆止片を第一スライダーに設ければ、第一スライダーを用いてファスナーを閉じた際に、第一スライダーが止め具に係止されて移動が阻止され、ファスナーが封緘される。
【００１７】
本発明において、上記他方の固定端側に止め具を有し、第一スライダーを他方の固定端に移動させたときに第一スライダーを繋止する繋止部をその止め具に設ければ、第一スライダーを他方の固定端に移動させることにより自動的にファスナーが封緘される。
【００１８】
本発明において、上記繋止部が先端に鉤状部を有する弾性片からなり、第一スライダーを他方の固定端まで移動させたときに、弾性変形してその第一スライダーを鉤状部内に案内するように構成すれば、第一スライダーを他方の固定端に移動させれば、鉤状部内に自動的に第一スライダーが案内されて移動が阻止され、ファスナーが封緘される。
【００１９】
本発明において、上記仮止め手段を、第一スライダーと第二スライダーの間のファスナーエレメント列に配置されて第二スライダーの移動路を閉塞するとともに、切断することによって閉塞を解除することができる薄板部材から構成すれば、封緘の必要がなくなった場合に薄板部材を切断することにより簡単に第二スライダーを用いてファスナーを開閉することができるようになる。また、薄板部材が切断されることにより、ファスナーの封緘が解除されたことを示すことができる。
【００２０】
本発明において、上記構成を有する封緘用ファスナーを、収納体の開口部に取り付ければ、例えば会計を済ませ、収納袋に商品を収納した後に、店員がその収納袋の口に設けられた第一スライダーを閉じ方向に摺動させればファスナーが閉じた状態でロックされ、その場で簡単に開けることができないようにすることができる。
【００２１】
【発明の実施の形態】
以下、図面に示した実施の形態に基づいて本発明を詳細に説明する。
【００２２】
図１は本発明の封緘用ファスナー（以下、ロックファスナーと略称する）の外観を示したものである。
【００２３】
同図において、ロックファスナー１は、引手２を備えたスライダー３と、ファスナーテープ４に取り付けられた一対のファスナーエレメント５と、その一対のファスナーエレメント５の端部に固定された止め具６を有し、引手２を矢印Ａ方向に引っ張ることによりファスナーエレメント５がかみ合い、ファスナーが閉じていくようになっている。
【００２４】
スライダー３は、ファスナーエレメント５の案内通路３ａを左右に備えた本体３ｂと、その本体３ｂ上に形成された凸条からなるカバー３ｃとを備えている。
【００２５】
図２は、そのカバー３ｃ内の構造を示したものである。
【００２６】
カバー３ｃ内には、ばね鋼で構成された板ばね７が略Ｕ字状に折り曲げられた状態で収納されており、その一方の脚部７ａは、カバー底板３ｄに係止され、他方の脚部７ｂは、カバー底板３ｄに形成された開口３ｅから下方に突出している。
【００２７】
この脚部（以下、弾性爪部と呼ぶ）７ｂは、ファスナーエレメント列の務歯５ａの間の凹溝部分に係合するようになっており、スライダー３が矢印Ａ方向に移動するときは、矢印Ｂ方向に変位して務歯５ａを乗り越えるが、その逆方向には開口縁３ｆに当接した状態で凹溝部分と係合することによりスライダー３の逆方向（開き方向）移動を阻止するようになっている。
【００２８】
また、カバー３ｃの上面には引手２を取り付けるためのリング状保持部８が固定されている。ただし、このリング状保持部８の閉じ方向側には隙間ｔが設けられており、リング状保持部８を上向きに引いてその隙間ｔを広げることにより（図中二点鎖線で示すリング８′参照）、引手２をそのリング状保持部８内に挿入することができるようになっている。
【００２９】
上記構成を有するスライダー３は、図３に示すような収納袋（包装体）１０の口部を開閉するファスナーとして取り付けられる。
【００３０】
詳しくは、ファスナーエレメント５の一方の固定端側としての止め具６側には二つのスライダーが直列に配置されており、止め具６から遠い側に上記スライダー３が第一スライダー３として配置される。
【００３１】
一方、止め具６に近い側には第二スライダー１２が配置される。
【００３２】
この第二スライダー１２は従来公知の自由スライダーからなり、引手１３の操作に係わらずロック作用が働かないものである。
【００３３】
なお、図中、１６は収納袋を下げるためのベルトであり、１７は収納袋１０の口部右端（他方固定端）に固定されている止め具である。
【００３４】
また、第二スライダー１２の移動側（図中Ｃ方向側）には、仮止め手段としてプラスチック薄板で構成された仮止めプレート１５が取り付けられている。
【００３５】
この仮止めプレート１５は、図４に示すように、その幅方向両端部１５ａ，１５ａがファスナーテープ４に接着または縫合により接合されており、ミシン目１５ｂ，１５ｂに沿って中央部１５ｃを切り取ることができるようになっている。
【００３６】
この中央部１５ｃの図において右側は凸片１５ｄに形成されており、指でつかむタブとして機能している。
【００３７】
次に、ロックファスナー付き収納袋の使用方法について図３を参照しながら説明する。
【００３８】
第二スライダー１２が図の左端に位置し、仮止めプレート１５によってその第二スライダー１２の移動が拘束され、仮止めプレート１５に当接してその右側に第一スライダー３が配置され、ファスナーが開いていることを前提とする。また、収納袋は販売店に備えられており、店員が会計後の商品をその収納袋に収納するものとする。
【００３９】
会計を済ませた商品を収納袋１０内に収納し終わると、店員は第一スライダー３を矢印Ｃ方向に移動させ、ファスナーを閉じていく。
【００４０】
第一スライダー３を止め具１７まで移動させてファスナーを閉じると、引手２をほぼ水平にして矢印Ａ方向（図２参照）に強く引っ張る。
【００４１】
それにより、リング状保持部８が弾性変形して隙間ｔが広がり、広がった隙間から引手２を取り外すことができる。この状態で第一スライダー３の右方向移動は止め具１７によって阻止され、左方向移動については、弾性爪部７ｂがエレメント列の間の凹溝部分と係合しているため、第一スライダー３は完全にロックされてファスナーを開閉する機能を失う。
【００４２】
なお、引手２を取り外す目的は、引手２を残しておくと、第一スライダー３を用いてファスナーを開閉することができると錯覚し誤操作することがあるため、これを解消することにある。
【００４３】
第一スライダー３によってファスナーが閉じられた収納袋１０は、第二スライダー１２についても仮止めプレート１５によって開くことができないようになっているため、そのまま、売り場に戻って買い物を続けてもその収納袋１０に誤って会計前の商品を入れるようなトラブルの発生することを解消することができる。
【００４４】
また、収納袋１０を自宅に持ち帰った購入者は、仮止めプレート１５の凸片１５ｄを指でつかみ、ミシン目１５ｂに沿って矢印Ｄ方向に引き上げれば、中央部１５ｃが切り離される。それにより、第二スライダー１２を矢印Ｃ方向に移動させることができるようになり、ファスナーを開くことができる。もちろん、第二スライダー１２は自由スライダーで構成されているため、従来のファスナーと同様に、収納袋を開閉することができる。
【００４５】
図５は本発明のロックファスナーの第二実施形態を示した外観図である。
【００４６】
なお、図１と同じ構成要素については同一符号を付してその説明を省略する。
【００４７】
同図に示すロックファスナー２０のスライダー２１は、本体２１ａと、その本体２１ａ上に形成された凸条のカバー２１ｂを備えており、そのカバー２１ｂ内に板ばね２２が装着されている。
【００４８】
この板ばね２２は、図６（ａ）に示すように、ばね鋼で構成され略Ｕ字状に折り曲げられた状態で収納されており、カバー底板２１ｃに形成されている開口２１ｄから弾性爪部２２ａを下方に突出している。なお、同図では、構成を明瞭にするため手前側のカバー２１ｂを切り欠いている。
【００４９】
弾性爪部２２ａは、図２に示した弾性爪部７ｂと同様に、ファスナーエレメント列の務歯５ａの間の凹溝部分に係合するようになっており、スライダー２１が矢印Ａ方向に移動するときは、変位して務歯５ａを乗り越えるが、その逆方向にはエレメント列の間の凹溝部分と係合することにより矢印Ａ方向と逆方向の移動を阻止するようになっている。
【００５０】
この構成では引手２３がカバー２１ｂに装着されるが、引手２３の下端に形成されている鉤状部２３ａが、板ばね２２における弾性爪部２２ａの根元部２２ｂ下側に位置するように配置される。従って、引手２３を上方に引き上げると、弾性爪部２２ａを上方に移動させることができ、それにより、弾性爪部２２ａのロックを解除することができる。
【００５１】
また、図６（ｂ）は板ばね２２を保持している縦板２１ｅの外面形状を示したものである。各縦板２１ｅの外壁にはＥ方向に向けて幅が拡張するように形成されたテーパ面（引手脱落部）２１ｆがそれぞれ設けられている（手前側のみ図示する）。
【００５２】
一方、引手２３における鉤状部２３ａの内側にはアール部２３ｂが形成されており、引手２３が矢印Ｆ方向（図６（ａ）参照）倒されてほぼ水平となった状態で各アール部２３ｂが上記テーパ部２１ｆと対応するようになっている。
【００５３】
従って、スライダー２１を閉じ側の止め具１７（図３参照）まで移動させ、この状態で引手２３を矢印Ｅ方向に押せば、テーパ部２１ｆによって引手２３の鉤状部２３ａが広がり、カバー２１ｂから簡単に外れる。
【００５４】
引手２３が外れると、弾性爪部２２ａを上方に移動させる手段が失われるため、弾性爪部２２ａは常時、ファスナーエレメント列の務歯５ａの間の凹溝部分に係合することになり、スライダー２１はロックされる。
【００５５】
図７は本発明のロックファスナーの第三の実施形態を示したものである。
【００５６】
このロックファスナー３０のスライダー３１は基本的に自由スライダーからなり、本体３１ａと、その本体３１ａ上に形成された柱部３２を備えており、その柱部３２に引手３３が備えられている。
【００５７】
また、本体３１ａの閉じ方向側先端部には通常のスライダー本体よりも若干長く形成された平行板３１ｂ，３１ｂが形成されており、各平行板３１ｂの内面には、閉じ方向に向けて先下がりに形成された一対の楔部３１ｃ，３１ｃおよび一対の楔部３１ｄ，３１ｄがそれぞれ対向して形成されている。
【００５８】
スライダー３１を閉じ側の止め具１７の位置まで移動させると、楔部３１ｃ，３１ｄは、止め具１７の上縁部１７ａと係止し、楔部３１ｄ，３１ｄは止め具１７の下縁部１７ｂと係止する。それにより、スライダー３１がロックされるようになっている。上記楔部３１ｃ，３１ｄは逆止片として機能する。
【００５９】
図８は、本発明のロックファスナーの第四の実施形態を示したものである。
【００６０】
上述したロックファスナーは、スライダーにロック機能を備えたが、本実施形態では止め具にロック機能を備えている。
【００６１】
閉じ側に配置される止め具４０は、その内側に繋止部としてのスライダーロック金具４１を備えている。
【００６２】
このスライダーロック金具４１は、折り返し部４１ａで谷折りされた薄板部材からなり、一方の板部に、水平に配置される長方形からなるフラップ部４１ｂと止め具４０からスライダー側に向けて突出する鉤状のフック部（鉤状部）４１ｃとを有しており、他方の板部にも同じくフラップ部４１ｄと鉤状のフック部４１ｃとを有している。
【００６３】
各フラップ部４１ｂ，４１ｄは、止め具４０の上板４０ａ内に嵌合するサイズに形成されており、各フラップ部４１ｂ，４１ｄの後部には突起部４１ｆ，４１ｇが形成されている。この突起部４１ｆ，４１ｇは止め具４０の上板縁部４０ｂと係合して抜け止めとして機能するようになっている。
【００６４】
また、フック部４１ｃ，４１ｅはそれぞれ板ばねとして機能しており、開き方向（図中矢印方向）に弾性変形することができ、閉じ方向に付勢力が働くようになっている。
【００６５】
図９は上記スライダーロック金具４１の動作を説明したものであり、同図（ａ）はロック前、同図（ｂ）はロック後の状態を示している。
【００６６】
まず、図９（ａ）において、自由スライダー４２を閉じ方向に移動させることにより、スライダーロック金具４１に近づくと、スライダー４２の摺動部４２ａがフック部４１ｃ，４１ｅと対向する。
【００６７】
さらにスライダー４２をスライダーロック金具４１に向けて移動させると、摺動部４２ａの先端が両フック部４１ｃ，４１ｅと当接して押し広げ、摺動部４２ａが図９（ｂ）に示す位置まで移動すると、フック部４１ｃ，４１ｅが復元力によって元の位置に復帰し摺動部４２ａを拘束する。それにより、スライダー４２がロックされる。
【００６８】
なお、本発明の第二スライダーは、上記実施形態では自由スライダーで構成したが、これに限らず、引手から手を離すと自動的にロックがかかり、引手を引っ張ることによりロックが外れるいわゆるオートマチックスライダー、引手を倒した状態でロックがかかり、引手を起こした状態でロックが外れるセミオートマチックスライダーで構成することもできる。
【００６９】
また、本発明の仮止め手段は、上記実施形態ではプラスチック製の薄板で構成したが、これに限らず、例えば結束バンドを使用することもできる。この場合、第二スライダー移動側のファスナーエレメントに結束バンドを巻き付けて結束することになる。
【００７０】
また、本発明において収納体は、上記実施形態では収納袋で構成したが、書類等を収容する書類袋にも適用することができる。また、本発明の封緘用ファスナーは図１０に示したような特別な挿通具５６を必要としないため封緘したことが目立たず、ファッション性を必要とするファスナーとしても使用することができる。
【００７１】
【発明の効果】
以上説明したことから明らかなように、請求項１の本発明によれば、第一スライダーを移動させて一旦、ファスナーを閉じると、その反対側へは第一スライダーの移動が阻止されるため、ファスナーを簡便かつすばやく封緘することができる。また、封緘の必要がなくなると、第二スライダーの仮止めを解除することによりファスナーを開閉することができるようになる。
【００７２】
請求項２の本発明によれば、第一スライダーに、ファスナーエレメント列と係合するとともにファスナー閉じ方向に移動する際には係合が解除される弾性爪部を備えたため、第一スライダーを閉じ方向にのみ移動させてファスナーを封緘することができる。
【００７３】
請求項３の本発明によれば、引手を第一スライダーから脱落させるための引手脱落部を第一スライダーに設けたため、封緘して使用できない第一スライダーを操作するといった誤操作を防止することができる。
【００７４】
請求項４の本発明によれば、引手を、弾性爪部の係合を強制的に解除し得るように構成したため、引手を外さない限り第一スライダーでファスナーを開閉することができる。
【００７５】
請求項５の本発明によれば、第一スライダーを他方の固定端に移動させたときにその止め具に第一スライダーの逆止片が係止されるように構成したため、第一スライダーを移動させてファスナーを閉じるだけでファスナーが封緘される。
【００７６】
請求項６の本発明によれば、第一スライダーを他方の固定端に移動させたときに止め具の繋止め具が第一スライダーを繋止するように構成したため、第一スライダーを移動させてファスナーを閉じるだけでファスナーが封緘される。
【００７７】
請求項７の本発明によれば、繋止部を、鉤状部を有する弾性片で構成し第一スライダーを他方の固定端まで移動させたときに、弾性変形してその第一スライダーを鉤状部内に案内するように構成したため、第一スライダーを移動させてファスナーを閉じるだけで、鉤状部内に自動的に第一スライダーが案内されてファスナーが封緘される。
【００７８】
請求項８の本発明によれば、第一スライダーと第二スライダーの間の第二スライダーの移動路を閉塞する仮止め手段を切断することができるようにして設けたため、封緘の必要がなくなった場合に仮止め手段を切断し第二スライダーを用いてファスナーを開閉することができるようになる。また、仮止め手段が切断されることにより、ファスナーの封緘が解除されたことを示すことができる。
【００７９】
請求項９の本発明によれば、上記構成を有する封緘用ファスナーを、収納体の開口部に取り付ければ、例えば会計を済ませ、収納袋に商品を収納した後に、店員がその収納袋の口に設けられた第一スライダーを閉じ方向に摺動させればファスナーが閉じた状態でロックされ、その場で簡単に開けることができないようにすることができる。
【図面の簡単な説明】
【図１】本発明に係るロックファスナーの斜視図である。
【図２】図１のスライダーの内部構造を示す要部断面図である。
【図３】ロックファスナーを備えた収納袋を示す斜視図である。
【図４】図３に示す仮止めプレートの拡大平面図である。
【図５】本発明のロックファスナーの第二実施形態を示す斜視図である。
【図６】（ａ）は図５のスライダーに収納される板ばねを示す斜視図、（ｂ）はスライダーのカバーを切り欠いた斜視図である。
【図７】本発明のロックファスナーの第三実施形態を示す斜視図である。
【図８】本発明のロックファスナーの第四実施形態を示す斜視図である。
【図９】（ａ）および（ｂ）は図８に示すロックファスナーの動作を示す説明図である。
【図１０】（ａ）〜（ｃ）は従来のファスナー封緘具の構成を示す斜視図である。
【符号の説明】
１　ロックファスナー
２　引手
３　スライダー
３ｂ　本体
３ｃ　カバー
４　ファスナーテープ
５　ファスナーエレメント
５ａ　務歯
６　止め具
７　板ばね
７ｂ　弾性爪部
８　リング状保持部
【図１】
2004113331.tif 000003
【図２】
2004113331.tif 000004
【図３】
2004113331.tif 000005
【図４】
2004113331.tif 000006
【図５】
2004113331.tif 000007
【図６】
2004113331.tif 000008
【図７】
2004113331.tif 000009
【図８】
2004113331.tif 000010
【図９】
2004113331.tif 000011
【図１０】
2004113331.tif 000012